(57)【要約】      （修正有）【課題】内側に配置されたノズル管を外側に配置されたノズル管から最も引き出した状態と、内側に配置されたノズル管を外側に配置されたノズル管に押し込んだ状態で使用されるため、吸込み具の長さを自由に変更できず、操作性が悪かった。【解決手段】内部に通風路を有する外管２１０と外管に摺動可能に挿入され内部に通風路を有する内管２２０とを備え、外管から内管を出し入れすることにより伸縮可能とした電気掃除機の吸込み具２００において、外管及び内管は風の流れる方向と直交する通風路の断面が略矩形になるように形成され、矩形の長辺側となる管の長手方向に沿って形成された二つの側面部２２２と矩形の短辺側となる管の長手方向に沿って形成された上面部２２３ａ及び下面部２２３ｂとを有し、内管の上面部或いは下面部の外表面には長手方向に複数の溝部が形成され、外管には上面部或いは下面部には溝部と係合する係合部２３３を設けた。【選択図】図１
2009066333.tif 000002
【特許請求の範囲】
【請求項１】
内部に通風路を有する外管と、該外管に摺動可能に挿入され内部に通風路を有する内管とを備え、前記外管から前記内管を出し入れすることにより伸縮可能とした電気掃除機の吸込み具において、
前記外管及び前記内管は、風の流れる方向と直交する前記通風路の断面が略矩形になるように形成され、矩形の長辺側となる管の長手方向に沿って形成された二つの側面部と、矩形の短辺側となる管の長手方向に沿って形成された上面部及び下面部とを有し、
前記内管の上面部或いは下面部の外表面には長手方向に複数の溝部が形成され、前記外管には上面部或いは下面部には、前記溝部と係合する係合部を設けたことを特徴とする電気掃除機の吸込み具。
【請求項２】
電動送風機と集塵部とを有する掃除機本体と、該掃除機本体に接続されるホースと、該ホースに接続される手元操作部と、該手元操作部に接続される延長管と、該延長管に接続される床用吸込み具と、前記手元操作部あるいは前記延長管と接続可能な吸込み具とを備えた電気掃除機において、
前記吸込み具は、
内部に通風路を有する外管と、該外管に摺動可能に挿入され内部に通風路を有する内管とを備え、前記外管から前記内管を出し入れすることにより伸縮可能とし、
前記外管及び前記内管は、風の流れる方向と直交する前記通風路の断面が略矩形になるように形成され、矩形の長辺側となる管の長手方向に沿って形成された二つの側面部と、矩形の短辺側となる管の長手方向に沿って形成された上面部及び下面部とを有し、
前記内管の上面部或いは下面部の外表面には長手方向に複数の溝部が形成され、前記外管には上面部或いは下面部には、前記溝部と係合する係合部を設けたことを特徴とする電気掃除機。
【発明の詳細な説明】
【技術分野】
【０００１】
本発明は電気掃除機の吸込み具及びこの吸込み具を備えた電気掃除機に関する。
【背景技術】
【０００２】
従来の電気掃除機の吸込み具として、例えば特許文献１（特開２００３−２４５２３０号公報）がある。この特許文献１には、室内の隙間や隅部を掃除するのに使用される吸込み具として、複数のノズル管を互いに嵌合させて伸縮可能としている。この吸込み具は、内側に配置されたノズルを外側に配置されたノズル管から最も引き出した状態と、内側に配置されたノズルを外側に配置されたノズル管に押し込んだ状態で使用される。
【０００３】
【特許文献１】特開２００３−２４５２３０号公報
【発明の開示】
【発明が解決しようとする課題】
【０００４】
しかしながら、上記特許文献１では、内側に配置されたノズル管を外側に配置されたノズル管から最も引き出した状態と、内側に配置されたノズル管を外側に配置されたノズル管に押し込んだ状態で使用されるため、吸込み具の長さを自由に変更できないものであった。このため、使用者の腕等に負担がかかり、操作性が悪かった。
【０００５】
本発明の目的は上記課題を解決し、吸込み具の長さを自由に変更でき、操作性を向上させた電気掃除機の吸込み具及びこれを備えた電気掃除機を提供することにある。
【課題を解決するための手段】
【０００６】
上記目的を達成するために本発明の特徴とするところは、内部に通風路を有する外管と、該外管に摺動可能に挿入され内部に通風路を有する内管とを備え、前記外管から前記内管を出し入れすることにより伸縮可能とした電気掃除機の吸込み具において、前記外管及び前記内管は、風の流れる方向と直交する前記通風路の断面が略矩形になるように形成され、矩形の長辺側となる管の長手方向に沿って形成された二つの側面部と、矩形の短辺側となる管の長手方向に沿って形成された上面部及び下面部とを有し、前記内管の上面部或いは下面部の外表面には長手方向に複数の溝部が形成され、前記外管には上面部或いは下面部には、前記溝部と係合する係合部を設けたことにある。
【０００７】
また、本発明の特徴とするところは、電動送風機と集塵部とを有する掃除機本体と、該掃除機本体に接続されるホースと、該ホースに接続される手元操作部と、該手元操作部に接続される延長管と、該延長管に接続される床用吸込み具と、前記手元操作部あるいは前記延長管と接続可能な吸込み具とを備えた電気掃除機において、前記吸込み具は、内部に通風路を有する外管と、該外管に摺動可能に挿入され内部に通風路を有する内管とを備え、前記外管から前記内管を出し入れすることにより伸縮可能とし、前記外管及び前記内管は、風の流れる方向と直交する前記通風路の断面が略矩形になるように形成され、矩形の長辺側となる管の長手方向に沿って形成された二つの側面部と、矩形の短辺側となる管の長手方向に沿って形成された上面部及び下面部とを有し、前記内管の上面部或いは下面部の外表面には長手方向に複数の溝部が形成され、前記外管には上面部或いは下面部には、前記溝部と係合する係合部を設けたことにある。
【発明の効果】
【０００８】
本発明によれば、吸込み具の長さを自由に変更でき、操作性を向上させた電気掃除機の吸込み具及びこれを備えた電気掃除機を提供することができる。
【発明を実施するための最良の形態】
【０００９】
以下、本発明に係る実施例を添付の図面を用いて説明する。
【実施例１】
【００１０】
図９には本発明の一実施例に電気掃除機１００の外観斜視図である。図９において、１１０は内部に集塵部及び電動送風機を内蔵した掃除機本体、１２０は一端がホース継手１２０ａを介して掃除機本体１１０に接続されたホースである。１３０は一端がホース１２０の他端に接続された手元操作部であり、この手元操作部１３０には使用者が握るハンドル部１３０ａと、電動送風機を制御するスイッチ手段１３０ｂが設けられている。１４０は一端が手元操作部１３０の他端に接続され二つの管体から構成された伸縮可能な延長管である。１５０は延長管１４０の他端に接続された床用吸込み具である。
【００１１】
このような構成において、手元操作部１３０に配置したスイッチ手段１３０ｂを押下すると、掃除機本体１１０に内蔵された電動送風機が運転し、吸引力を発生する。この吸引力により、床用吸込み具１５０から風と共に塵埃を吸込み、吸込んだ塵埃を延長管１４０、手元操作部１３０，ホース１２０で形成される通風路を介して掃除機本体１１０内の集塵部に集塵する。
【００１２】
電気掃除機１００には、様々な場所を掃除できるように、床用吸込み具１５０以外の吸込み具が付属されている。例えば、本実施例では延長管１４０と床用吸込み具１５０との間に刷毛吸込み具１６０が接続されている。この刷毛吸込み具１６０は、床用吸込み具１５０との接続を解除すると、刷毛吸込み具１６０の前方から刷毛１６０ａが突出し、棚の上等の掃除を行うことができる。また、この刷毛吸込み具１６０以外にも、隙間用の吸込み具が付属されている。本実施例は、隙間用の吸込み具に関するものであり、その構成について図１から図８を用いて説明する。
【００１３】
図１は本発明の一実施例に係る隙間用の吸込み具２００の外観斜視図であり、図２は図１におけるＰ部拡大図である。図３は本発明の一実施例に係る隙間用の吸込み具２００の下面図であり、図３ａは操作部を取り除いた状態を示す図であり、図３ｂは図３ａにおける要部拡大図であり、図３ｃは操作部を取り付けた状態を示す図である。図３ｄは図３ｃにおける要部拡大図である。図４は図３ｄのＡ−Ａ断面図であり、図４ａは係合部と溝が係合した状態を示す図であり、図４ｂは係合部と溝が係合していない状態を示す図である。図５は吸込み具２００の断面図であり、図５ａは図３ｃのＢ−Ｂ断面図であり、図５ｂは図３ｃのＣ−Ｃ断面図であり、図５ｃは図３ｃのＤ−Ｄ断面図である。図６は本発明の一実施例に係る隙間用の吸込み具２００の長さを変えた状態を示す外観斜視図であり、図６ａは外管２１０に内管２２０を収納して吸込み具２００の長さを最も短くした状態を示す図であり、図６ｂは外管２１０から内管２２０を引き出して任意の位置で固定した状態を示す図であり、図６ｃは外管２１０から内管２２０を引き出して最も長くした状態を示す図である。図７は本発明の一実施例に係る隙間用の吸込み具２００を手元操作部１３０に接続した状態を示す外観斜視図であり、図８は本発明の一実施例に係る隙間用の吸込み具２００を延長管１４０に接続した状態を示す外観斜視図である。
【００１４】
隙間用の吸込み具２００は、内部に通風路を有する外管２１０と、この外管２１０に摺動可能に挿入され内部に通風路を有する内管２２０とを備えている。内管２２０は外管２１０から出し入れされることにより伸縮可能となっており、外管２１０から突出する突出量を調整することにより、吸込み具２００の全長を調整する。
【００１５】
外管２１０及び内管２２０は、図５に示すように風の流れる方向と直交する通風路の断面が略矩形になるように形成されている。隙間用の吸込み具２００は、床用吸込み具１５０が入り込めない狭い隙間を掃除することができるようにするために、通風路を狭くしてノズル状にしている。通風路が狭くなっているので、この通風路を流れる風の流速が速くなり、集塵性能が向上する。図５ａは内管２２０の断面図であり、図５ｂは外管２１０の断面図である。外管２１０は内管２２０が内部に挿入されるため、外管２１０の内径は内管２２０の外径より大きく形成されている。外管２１０の内径が内管２２０の外径に対して大き過ぎると、この間に隙間が生じ、気流の漏れて吸込み性能が低下するので、外管２１０の内径と内管２２０の外径の差はできるだけ小さくする方が好ましい。
【００１６】
また、内管２２０が出入りする側と反対側に位置する外管２１０の一端側は、図５ｃに示すように略円筒状に形成されている。吸込み具２００を手元操作部１３０、あるいは延長管１４０と接続して使用するため、これらとの接続部２１１となる外管２１０の一端側を略円筒状として、手元操作部１３０、あるいは延長管１４０と接続可能としている。また、内管２２０の先端部２２１は傾斜して形成されている。使用者がハンドル部１３０ａを握って掃除を行う時、床面と延長管１４０との成す角度が約４５度となる。このため、内管２２０の先端部２２１は、床面と接する面積を大きくするために約４５度のところから切り欠いて傾斜させている。これにより、床面との接触面積を大きくでき、集塵性能が向上する。
【００１７】
先に述べたように本実施例の外管２１０及び内管２２０は、風の流れる方向と直交する通風路の断面が略矩形になるように形成されている。外管２１０における矩形の長辺側には管の長手方向に沿って二つの側面部２１２が形成され、矩形の短辺側には管の長手方向に沿って上面部２１３ａ及び下面部２１３ｂが形成される。同様に、内管２２０における矩形の長辺側には管の長手方向に沿って二つの側面部２２２が形成され、矩形の短辺側には管の長手方向に沿って上面部２２３ａ及び下面部２２３ｂが形成される。本実施例では、吸込み具２００を手元操作部１３０、あるいは延長管１４０と接続して使用した時に、床面と対面する側を下面側とし、床面と対面する反対側を上面側とする。
【００１８】
内管２２０の下面部２２３ｂの外表面には、管の長手方向に複数の溝部２２４が形成されている。複数の溝部２２４には後述する係合部が係合して、外管２１０から突出する内管２２０の突出量を調整する。
【００１９】
外管２１０の下面部２１３ｂの内管２２０が出入りする側には、図１及び図４に示すように操作取付部２１４が設けられている。そして、この操作取付部２１４には、操作取付部２１４の開口部側から操作部２３０が取り付けられる。この操作部２３０は、操作部２３０の両側に設けられた回動軸２３１を操作取付部２１４の軸孔２１５に挿入することにより、回動自在に取り付けられる。また、回動軸２３１からずれた操作部２３０と操作取付部２１４との間には、操作部２３０を操作取付部２１４の開口部側へ付勢させる付勢手段としてのコイルバネ２３２が設けられている。また、操作部２３０には係合部２３３が設けられている。係合部２３３とコイルバネ２３２は、回動軸２３１を挟むように配置されている。図３ｂに示すように、操作取付部２１４の内部にはコイルバネ２３２を取り付けるバネ座２１６と、下面部２１３ｂを貫通する貫通孔２１７が形成されている。係合部２３３はこの貫通孔２１７を出入りすることにより、外管２１０と内管２２０とを固定したり、固定を解除したりする。
【００２０】
この動作について図４を用いて説明する。図４ａにおいて、操作部２３０はコイルバネ２３２によって操作取付部２１４の開口部側へ付勢される。操作部２３０は、回動軸２３１によって操作取付部２１４に回動自在に取り付けられているので、回動軸２３１を挟んでコイルバネ２３２と反対側に位置する係合部２３３が、外管２１０の下面部２１３ｂ側に押し付けられる。係合部２３３は貫通孔２１７を通過し、内管２２０の下面部２２３ｂに形成された溝部２２４に入り込み、係合する。この状態では、内管２２０は外管２１０から出し入れすることができないので、外管２１０と内管２２０が固定される。
【００２１】
次に図４ｂにおいて、使用者がコイルバネ２３２の付勢力に抗して操作部２３０を押すと、コイルバネ２３２が縮み、係合部２３３が溝部２２４から退避し、係合部２３３と溝部２２４との係合状態が解除される。この状態では内管２２０は外管２１０から自由に出し入れができる。そして、使用者は外管２１０から内管２２０を任意の位置に出し入れした後、操作部２３０から指を離すと、係合部２３３が再び溝部２２４に入り込み、係合部２３３と溝部２２４が係合する。このようにして、吸い込み具２００の長さを自由に調整することができるので、操作性を向上させることができる。
【００２２】
本実施例では上述したように側面部２２２より幅の狭い内管２２０の下面部２２３ｂに溝部２２４を形成している。溝部２２４を形成するにあたっては、板厚を確保する必要がある。側面部２２２に溝部２２４を形成しようとすると、溝部２２４を形成する部分の板厚を他の部分より厚くしなければならない。溝部２２４を形成する部分の板厚を確保するために溝部２２４形成部を通風路側に突出させると、側面部２２２の一部分が通風路側に突出して段差が生じ、騒音が発生する。溝部２２４形成部を外側に突出させた場合には、これに合わせ外管２１０の内面を凹ます必要があり、この部分に段差が生じ、騒音が発生する。これを解決するために、本実施例では側面部２２２より幅の狭い内管２２０の下面部２２３ｂに溝部２２４を形成している。下面部２２３ｂに溝部２２４を形成する場合、幅の狭い下面部２２３ｂの幅一杯に形成することができるので、通風路に段差が形成されにくい。これにより、騒音を低減することができる。
【００２３】
また、隣り合う溝部２２４と溝部２２４との間には、複数の小溝部２２５（本実施例では２つ）が形成されている。この小溝部２２５には、操作部２３０の係合部２３３が入り込まない。小溝部２２５と小溝部２２５との間には横リブ２２６が形成されている。また、下面部２２３ｂには管の長手方向に沿って伸びた縦リブ２２７が形成され、この縦リブ２２７によって、溝部２２４が左右に分かれている。本実施例では横リブ２２６及び縦リブ２２７を設けることにより、溝部の開口面積が小さくなり、内管２２０を外管２１０内に収納させるとき、異物が溝部に落ち込んで、異物を内管２２０と外管２１０との間に巻き込むことを抑制することができる。
【００２４】
以上説明したように本実施例では、図６に示すように吸込み具２００の長さを自由に変更することができる。図６ａに示すように外管２１０に内管２２０を収納して吸込み具２００の長さを最も短くした状態で使用したり、図６ｂに示すように外管２１０から内管２２０を引き出して任意の位置で固定した状態で使用したり、図６ｃに示すようには外管２１０から内管２２０を引き出して最も長くした状態で使用することが可能である。を示す図である。また、外管２１０と内管２２０とは、外管２１０に設けた係合部２３３と内管２２０に設けた溝部２２４とが係合するので、内管２２０を外管２１０に押し込む力が生じた場合であっても、不用意に内管２２０が外管２１０に押し込まれるのを抑制でき、掃除の作業性が向上する。
【００２５】
また、吸込み具２００は図７に示すように手元操作部１３０に接続して使用したり、図８に示すように延長管１４０に接続して使用することができる。例えば、図８のように延長管１４０及び吸込み具２００を共に最も長くした状態で使用すると、天井等の高所の掃除も可能となる。
【００２６】
また、吸込み具２２０の内管２２０の先端部２２１には、図８に示すように刷毛部材３００を接続することも可能である。
【００２７】
以上説明したように本実施例によれば、吸込み具の長さを自由に変更でき、操作性を向上させた電気掃除機の吸込み具及びこれを備えた電気掃除機を提供することができる。
【００２８】
本実施例では係合部を外管の下面部に設けるようにしたが、係合部を設ける位置は外管の下面部に限らず、上面部であっても良い。
【００２９】
また、内管の外表面に設ける複数の溝部を上面に形成するようにしても良い。
【図面の簡単な説明】
【００３０】
【図１】本発明の一実施例に係る隙間用の吸込み具２００の外観斜視図である。
【図２】図１におけるＰ部拡大図である。
【図３】本発明の一実施例に係る隙間用の吸込み具２００の下面図である。
【図４】図３ｄのＡ−Ａ断面図である。
【図５】吸込み具２００の断面図である。
【図６】本発明の一実施例に係る隙間用の吸込み具２００の長さを変えた状態を示す外観斜視図である。
【図７】は本発明の一実施例に係る隙間用の吸込み具２００を手元操作部１３０に接続した状態を示す外観斜視図である。
【図８】図８は本発明の一実施例に係る隙間用の吸込み具２００を延長管１４０に接続した状態を示す外観斜視図である。
【図９】本発明の一実施例に電気掃除機１００の外観斜視図である。
【符号の説明】
【００３１】
２００  吸込み具
２１０  外管
２２０  内管
２２４  溝部
２３０  操作部
２３３  係合部
【図１】
2009066333.tif 000003
【図２】
2009066333.tif 000004
【図３】
2009066333.tif 000005
【図４】
2009066333.tif 000006
【図５】
2009066333.tif 000007
【図６】
2009066333.tif 000008
【図７】
2009066333.tif 000009
【図８】
2009066333.tif 000010
【図９】
2009066333.tif 000011